(57)【要約】【課題】試験運転の際の異常を検出するために、空気調和機に関する情報を情報仲介機器から情報管理装置へ適切に送信することができる空調管理システムを提供する。【解決手段】空調管理システム１０は、空気調和機１１と、空気調和機１１と通信可能に接続され、かつ、空気調和機１１についての情報であって当該空気調和機１１の運転により変動しうる第１の情報を空気調和機１１から取得して送信する情報仲介機器１２と、情報仲介機器１２から送信された第１の情報をネットワーク５０を介して受信する情報管理装置１３とを備え、情報仲介機器１２は、空気調和機１１の試験運転の際に、当該空気調和機１１の通常運転の際よりも高頻度で第１の情報を送信する。【選択図】図１
2019120422.tif 000002
【特許請求の範囲】
【請求項１】
空気調和機（１１）と、
前記空気調和機（１１）と通信可能に接続され、かつ、前記空気調和機（１１）についての情報であって当該空気調和機（１１）の運転により変動しうる第１の情報を前記空気調和機（１１）から取得して送信する情報仲介機器（１２）と、
前記情報仲介機器（１２）から送信された前記第１の情報をネットワーク（５０）を介して受信する情報管理装置（１３）とを備え、
前記情報仲介機器（１２）は、前記空気調和機（１１）の試験運転の際に、当該空気調和機（１１）の通常運転の際よりも高頻度で前記第１の情報を送信する、空調管理システム。
【請求項２】
前記情報仲介機器（１２）は、前記試験運転の際に、前記空気調和機（１１）から前記第１の情報を取得する頻度で当該第１の情報を前記情報管理装置（１３）に送信する、請求項１に記載の空調管理システム。
【請求項３】
前記情報仲介機器（１２）は、前記試験運転の際に、常時、前記空気調和機（１１）から前記第１の情報を取得して前記情報管理装置（１３）に送信する、請求項１又は２に記載の空調管理システム。
【請求項４】
前記情報仲介機器（１２）は、前記試験運転の際に、前記空気調和機（１１）についての情報であって当該空気調和機（１１）の運転により変動しない第２の情報を、前記空気調和機（１１）から取得して前記情報管理装置（１３）へ１度だけ送信する、請求項１〜３のいずれか１項に記載の空調管理システム。
【請求項５】
前記情報仲介機器（１２）は、前記試験運転の際の前記情報管理装置（１３）との最初の通信時に、前記第２の情報を送信する、請求項４に記載の空調管理システム。
【請求項６】
前記情報仲介機器（１２）は、前記空気調和機（１１）以外から取得される第３の情報の入力を受け付ける入力部を有する、請求項１〜５のいずれか１項に記載の空調管理システム。
【請求項７】
前記情報仲介機器（１２）は、前記試験運転の際に、前記第３の情報を前記情報管理装置（１３）へ１度だけ送信する、請求項６に記載の空調管理システム。
【請求項８】
前記情報仲介機器（１２）は、前記試験運転の際の前記情報管理装置（１３）との最初の通信時に、前記第３の情報を送信する、請求項７に記載の空調管理システム。
【請求項９】
前記情報管理装置（１３）は、前記情報仲介機器（１２）から送信された情報と、当該情報についての異常の有無の判定情報とを含む点検表を作成する制御部（５４）を有している、請求項１〜８のいずれか１項に記載の空調管理システム。
【請求項１０】
前記情報仲介機器（１２）は、携帯電話回線により無線通信を行う通信装置（４２）を有している、請求項１〜９のいずれか１項に記載の空調管理システム。
【発明の詳細な説明】
【技術分野】
【０００１】
本開示は、空調管理システムに関する。
【背景技術】
【０００２】
特許文献１には、空気調和機と、空気調和機に内蔵あるいは接続される情報仲介機器と、情報仲介機器及びネットワークを介して空気調和機に関する項目からなる空調機情報を取得する情報管理装置と、管理者、製造者、販売者等が使用する関与者端末と、を備えた遠隔管理システムが開示されている。
【０００３】
情報仲介機器は、情報管理装置に対して所定の送信頻度で空調機情報、例えば空気調和機に属するセンサの出力信号を送信する。情報管理装置に送信された空調機情報は、要求に応じて関与者端末に送信され、各関与者端末において管理者、製造者等の利用に供される。
【先行技術文献】
【特許文献】
【０００４】
【特許文献１】国際公開第２０１７／１４６１７６号
【発明の概要】
【発明が解決しようとする課題】
【０００５】
空気調和機は、建物に据え付けられた後、正常に動作するか否かを確認するために試験運転が行われる。また、空気調和機は、運用開始後も冷媒漏れの確認等、保守点検のために定期的に試験運転が行われる。試験運転中に生じた異常は通常の空調運転を開始するまでに取り除く必要があるため、情報管理装置は、情報仲介機器から送信された空調機情報に基づいてもれなく異常を検出することが求められる。
【０００６】
特許文献１の遠隔管理システムでは、試験運転の際に情報仲介機器から情報管理装置へ空調機情報を送信することについて何ら考慮されていない。
【０００７】
本開示は、試験運転の際の異常を検出するために、空気調和機に関する情報を情報仲介機器から情報管理装置へ適切に送信することができる空調管理システムを提供することを目的とする。
【課題を解決するための手段】
【０００８】
（１）本開示の空調管理システムは、
空気調和機と、
前記空気調和機と通信可能に接続され、かつ、前記空気調和機についての情報であって当該空気調和機の運転に伴って変動しうる第１の情報を前記空気調和機から取得して送信する情報仲介機器と、
前記情報仲介機器から送信された前記第１の情報をネットワークを介して受信する情報管理装置とを備え、
前記情報仲介機器は、前記空気調和機の試験運転の際に、当該空気調和機の通常運転の際よりも高頻度で前記第１の情報を送信する。
【０００９】
なお、試験運転とは、室内の空調のために行われる運転ではなく、空気調和機の動作確認等のために行われる運転であり、空気調和機を据え付けた後に行う運転、及び、空気調和機の運用開始後、定期的な保守点検のために行われる運転をいう。
また、通常運転とは、室内の空調のために行われる運転をいう。
第１のデータとしては、例えば、冷媒の圧力・温度や室内機の吸込温度等、空気調和機に備わったセンサによって測定される測定データを挙げることができる。また、第１のデータとして、圧縮機のモータ及びファンのモータの回転数や膨張弁の開度等、運転状況に応じて空気調和機の制御装置によって設定される制御データを挙げることができる。
【００１０】
以上のような構成によって、試験運転の際の異常を検出するために、空気調和機に関する情報を情報仲介機器から情報管理装置へ適切に送信することができる。
【００１１】
（２）好ましくは、前記情報仲介機器が、前記試験運転の際に、前記空気調和機から前記第１の情報を取得する頻度で当該第１の情報を前記情報管理装置に送信する。
このような構成によって、試験運転で発生した異常に関わる第１の情報を取得する可能性を高めることができる。
【００１２】
（３）好ましくは、前記情報仲介機器が、前記試験運転の際に、常時、前記空気調和機から前記第１の情報を取得して前記情報管理装置に送信する。
このような構成によって、試験運転で発生した異常に関わる第１の情報を取得する可能性をより高めることができる。
【００１３】
（４）好ましくは、前記情報仲介機器が、前記試験運転の際に、前記空気調和機についての情報であって当該空気調和機の運転に伴って変動しない第２の情報を、前記空気調和機から取得して前記情報管理装置へ１度だけ送信する。
この構成によれば、試験運転中に変動しない第２の情報を１度だけ情報管理装置に送信することによって、情報仲介機器から情報管理装置への通信量を削減することができる。
なお、第２の情報としては、例えば、機種名や製品番号のように空気調和機の機体を特定するデータ、運転モードや蒸発温度・凝縮温度目標値のように据付時等に人為的に設定されるデータを挙げることができる。
【００１４】
（５）好ましくは、前記情報仲介機器が、前記試験運転の際の前記情報管理装置との最初の通信時に、前記第２の情報を送信する。
第２の情報が異常の有無を判別するために必要な情報である場合、最初の通信の際に第２の情報を情報管理装置に送信することで、その第２の情報と、その後も継続して送信される第１の情報とを用いて異常を検出することができる。
【００１５】
（６）好ましくは、前記情報仲介機器が、前記空気調和機以外から取得される第３の情報の外部入力を受け付ける入力部を有する。
このような構成によって、空気調和機以外から取得される第３の情報を、情報仲介機器を介して情報管理装置に送信することができる。
なお、第３の情報としては、室外機周辺の温度及び湿度や、圧縮機等の電気機器の絶縁抵抗値等、空気調和機に備えられたセンサ以外の計測機器を用いて測定されるデータを挙げることができる。また、第３の情報としては、冷媒配管長や室内機と室外機との高低差等、空気調和機が据え付けられる環境に応じたデータを挙げることができる。
【００１６】
（７）好ましくは、前記情報仲介機器が、前記試験運転の際に、前記第３の情報を前記情報管理装置へ１度だけ送信する。
このように第３の情報を１度だけ情報管理装置に送信することで、情報仲介機器から情報管理装置への通信量を削減することができる。
【００１７】
（８）好ましくは、前記情報仲介機器が、前記試験運転の際の前記情報管理装置との最初の通信時に、前記第３の情報を送信する。
第３の情報が異常の有無を判別するために必要な情報である場合、最初の通信の際に第３の情報を情報管理装置に送信することで、その第３の情報と、その後も継続して送信される第１の情報とを用いて異常を検出することができる。
【００１８】
（９）好ましくは、前記情報管理装置が、前記情報仲介機器から送信された情報と、当該情報についての異常の有無の判定情報とを含む点検表を作成する制御部を有している。
このような構成によって、ユーザーへの報告に用いられる点検表を作成することができる。
【００１９】
（１０）好ましくは、前記情報仲介機器が、携帯電話回線により無線通信を行う通信装置を有している。
このような構成によって、建物に敷設された固定電話回線を用いることなく、通信装置により携帯電話回線及びネットワークを介して情報管理装置と通信することができる。
【図面の簡単な説明】
【００２０】
【図１】実施形態に係る空調管理システムの概略的な構成図である。
【図２】空気調和機の冷媒回路を示す概略的な構成図である。
【図３】空気調和機の通信系統を示す概略的な構成図である。
【図４】情報仲介機器の概略的な構成図である。
【図５】情報管理装置の概略的な構成図である。
【図６】点検表の一例を示す図である。
【発明を実施するための形態】
【００２１】
以下、添付図面を参照しつつ、空調管理システムの実施形態を詳細に説明する。
［第１の実施形態］
図１は、実施形態に係る空調管理システムの概略的な構成図である。図２は、空気調和機１１の冷媒回路を示す概略的な構成図である。
図１に示すように、本実施形態の空調管理システム１０は、空気調和機１１と、情報仲介機器１２と、情報管理装置１３とを備えている。
【００２２】
［空気調和機］
図２に示すように、空気調和機１１は、例えば、室内機２１と、室外機２２とを備えたセパレートタイプである。また、空気調和機１１は、１台の室外機２２に対して複数台の室内機２１が接続されたマルチタイプの空気調和機とされている。
【００２３】
（冷媒回路の構成）
室内機２１と室外機２２とは冷媒配管２３を介して接続されている。この冷媒配管２３を流れる冷媒の循環により蒸気圧縮式の冷凍サイクルを行う冷媒回路が構成されている。室内機２１は、室内膨張弁２４と、室内側熱交換器２５と、室内ファン２６とを備えている。室内膨張弁２４は、冷媒圧力の調節や冷媒流量の調節を行うことが可能な電動膨張弁が用いられている。
【００２４】
室内側熱交換器２５は、例えばクロスフィンチューブ式の熱交換器とされており、室内の空気と熱交換するために用いられる。
室内ファン２６は、室内の空気を室内機２１の内部に取り込み、室内側熱交換器２５との間で熱交換を行った後に室内に吹き出すように構成されている。室内ファン２６は、インバータ制御によって運転回転数を調整可能なモータを備えている。
【００２５】
室内機２１は、さらに吸込温度センサ２７を備えている。吸込温度センサ２７は、室内ファン２６によって室内機２１内に取り込んだ空気の温度を検出する。吸込温度センサ２７によって検出された温度は、後述する制御装置３８（図３参照）に入力される。
室内膨張弁２４や室内ファン２６は、空気調和機１１の運転スイッチのオンオフ操作や、各種センサの出力に応じて制御装置３８により動作制御される。
【００２６】
室外機２２は、圧縮機３０と、室外側熱交換器３１と、四路切換弁３２と、室外ファン３３と、室外膨張弁３４とを備えている。圧縮機３０は可変容量型（能力可変型）であり、内蔵されているモータをインバータ制御することによって、このモータの運転回転数を変更することができる。
【００２７】
室外側熱交換器３１は、例えばクロスフィンチューブ式の熱交換器であり、空気を熱源として冷媒と熱交換するために用いられる。
室外ファン３３は、インバータ制御によって運転回転数を調整可能なモータを備えている。室外ファン３３は、屋外の空気を室外機２２の内部に取り込み、空気と室外側熱交換器３１との間で熱交換を行った後、室外機２２の外部に空気を吹き出すように構成されている。
【００２８】
四路切換弁３２は、冷媒配管２３における冷媒の流れを反転させ、圧縮機３０から吐出される冷媒を室外側熱交換器３１と室内側熱交換器２５とに切り換えて供給する。空気調和機１１は、冷房運転と暖房運転とを切り換えて行うことができる。
【００２９】
室外機２２は、さらに温度センサ３５ａ，３５ｂと圧力センサ３６ａ，３６ｂとを備えている。温度センサ３５ａ，３５ｂは、圧縮機３０の吸入管に設けられた吸入管温度センサ３５ａと吐出管に設けられた吐出管温度センサ３５ｂとを含む。圧力センサ３６ａ，３６ｂは、圧縮機３０の吸引側に設けられた低圧圧力センサ３６ａと、圧縮機３０の吐出側に設けられた高圧圧力センサ３６ｂとを含む。
【００３０】
各センサ３５ａ，３５ｂ，３６ａ、３６ｂによって検出された信号は、後述する制御装置３９（図３参照）に入力される。
室外膨張弁３４、室外ファン３３、圧縮機３０は、各種センサの出力に応じて制御装置３８により動作制御される。
【００３１】
（通信系統の構成）
図３は、空気調和機の通信系統を示す概略的な構成図である。室内機２１及び室外機２２は、それぞれ各部の動作を制御する制御装置３８，３９を備えている。各制御装置３８，３９は、ＣＰＵ等の演算ユニットを備えた制御部３８ａ，３９ａ、ＲＡＭ，ＲＯＭ、フラッシュメモリ等からなる記憶部３８ｂ，３９ｂ、通信インターフェースからなる通信部３８ｃ，３９ｃを備えている。
【００３２】
室内機２１の通信部３８ｃと室外機２２の通信部３９ｃとは互いに通信線Ｌ１を介して通信可能に接続されている。また、室内機２１の通信部３８ｃは他の室内機の通信部にも通信線Ｌ２を介して通信可能に接続されている。室外機２２の通信部３９ｃは、情報仲介機器１２に通信線Ｌ３を介して通信可能に接続されている。通信部３８ｃ，３９ｃは、制御部３８ａ，３９ａの命令に従って記憶部３８ｂ，３９ｂに記憶された情報等を室内機２１と室外機２２との間、２つの室内機２１間、室外機２２及び情報仲介機器１２間で送受信する。
【００３３】
室内機２１及び室外機２２に設けられた各種のセンサ２７，３５ａ，３５ｂ，３６ａ，３６ｂの検出信号は、制御装置３８，３９に入力され、記憶部３８ｂ、３９ｂに記憶される。
記憶部３８ｂ，３９ｂには、センサ２７，３５ａ，３５ｂ，３６ａ，３６ｂから入力された検出信号の他、室内機２１及び室外機２２を動作させるためのプログラム、製品機種コードや製品番号等の室内機２１及び室外機２２を特定するためのデータ（機体特定データ）、蒸発温度及び凝縮温度の目標値や運転モード（低騒音モード、電力抑制モード等）等の設定データ、圧縮機３０及びファン２６，３３の運転回転数、室内膨張弁２４の開度等の制御データが記憶されている。
【００３４】
本実施形態では、記憶部３８ｂ，３９ｂに記憶されたデータのうち、空気調和機１１の運転に伴って変動しうる情報、例えば、各種センサ２７，３５ａ，３５ｂ，３６ａ，３６ｂによる測定データ及び制御部３８ａ，３９ａの制御データを「第１の情報」と称する。
また、空気調和機１１の運転に伴って変動しない情報、例えば、機体特定データ、蒸発温度・凝縮温度目標値、及び運転モードの設定データを「第２の情報」と称する。
【００３５】
また、本実施形態では、空気調和機１１以外から取得される情報を「第３の情報」と称する。第３の情報としては、空気調和機１１が備えているセンサ以外の計測機器を用いて計測される測定データを挙げることができる。この測定データには、例えば、室外機周辺の温度・湿度や、圧縮機３０及びファン２６，３３のモータ等の電気機器の絶縁抵抗値・電流値、電源の電圧値等がある。また、第３の情報としては、空気調和機１１が据え付けられる環境に応じたデータを挙げることができる。このデータには、冷媒配管長、室内機２１と室外機２２との高低差、据付場所のデータ等がある。さらに、第３の情報として、据付時の追加冷媒充填量のデータ、配管工事・電気工事等の据付作業結果についてのデータ、振動・騒音・におい等についてのデータ、サービススペース等のデータを挙げることができる。
【００３６】
制御部３８ａ，３９ａは、記憶部３８ｂ，３９ｂに記憶されたプログラムを実行することによって各種の機器の動作を制御する。例えば、制御部３８ａ，３９ａは、ユーザーが所望する温度・湿度等の空調環境を維持するように、圧縮機３０の運転回転数、ファン２６，３３の運転回転数、膨張弁２４，３４の開度等の制御データ（第１の情報）を演算により求め、これらの機器の動作を制御する。
【００３７】
本実施形態の空気調和機１１は、室内機２１が設置された室内の温度や湿度を調整するための空調運転を行う。以下、この運転を「通常運転」ともいう。また、空気調和機１１は、運転動作等を検査するために「試験運転」を行う。この試験運転としては、空気調和機１１が建物に据え付けられた後に行われる動作確認等のための運転や、空気調和機１１の運用開始後に、冷媒漏れ等の確認のために定期的な保守点検で行われる運転を挙げることができる。
【００３８】
［情報仲介機器］
図４は、情報仲介機器１２を概略的に示す構成図である。
情報仲介機器１２は、室内機２１及び室外機２２から各種の情報を取得し、情報管理装置１３に送信する。情報仲介機器１２は、コントローラ４１とルータ（通信装置）４２とを有している。コントローラ４１は、通信インターフェースからなる空調側通信部４３及び管理側通信部４４、ＣＰＵ等の演算ユニットを備えた制御部４５、ＲＡＭ，ＲＯＭ、フラッシュメモリ等からなる記憶部４６、外部からの情報の入力を受け付ける入力部４７等を備えている。
【００３９】
コントローラ４１の空調側通信部４３は、室外機２２の通信部３８ｃに通信線を介して接続されている。管理側通信部４４は、通信線を介して又は無線によりルータ４２に接続されている。
コントローラ４１の制御部４５は、記憶部４６に記憶されたプログラムを実行することによって所定の機能を発揮する。具体的に、制御部４５は、データ受信部４５ａ、データ編集部４５ｂ、及び送信頻度管理部４５ｃとしての機能を有している。
【００４０】
データ受信部４５ａは、空調側通信部４３を介して空気調和機１１から各種のデータを受信する機能を有する。本実施形態のデータ受信部４５ａは、空気調和機１１に備わった各種センサ２７，３５ａ，３５ｂ，３６ａ，３６ｂの「測定データ」、空気調和機１１の制御装置３８，３９が生成する「制御データ」等、上述の「第１の情報」を単位時間毎（例えば１分毎）に受信する。
【００４１】
また、データ受信部４５ａは、上述の「第２の情報」のうち、蒸発温度・凝縮温度目標値や運転モード等の「設定データ」を必要に応じて受信する。例えば、データ受信部４５ａは、専ら設定が行われたとき又は設定が変更されたときに設定データを受信する。また、データ受信部４５ａは、上述の「第２の情報」のうち「機体特定データ」を、空気調和機１１の据付後、最初に通信を行うとき等に受信する。データ受信部４５ａにより受信された第１の情報及び第２の情報は、記憶部４６に記憶される。
【００４２】
データ編集部４５ｂは、空気調和機１１から受信したデータを、情報管理装置１３に送信するための所定の形式に編集する機能を有する。データ編集部４５ｂは、空気調和機１１が通常運転を行っているときに、第１の情報を含む受信データから「時間当たり報告データ」を作成する。
【００４３】
この時間当たり報告データは、例えば、上述の第１の情報や圧縮機３０の運転積算時間等の運転履歴データを１時間毎にまとめたものである。第１の情報に含まれる圧力データや温度データ等の測定データは、対象となる１時間における平均値、中間値、又は任意のタイミングの値とすることができる。
【００４４】
前述したように、コントローラ４１のデータ受信部４５ａは、例えば１分毎に第１の情報を受信する。受信した第１の情報を情報管理装置１３にそのまま送信したのでは、通信回数及び通信量が多大となり、通信コストの増大の原因となる。そのため、データ編集部４５ｂは、通常運転の際に、情報管理装置１３に送信するために時間当たり報告データを作成し、記憶部４６に記憶させる。
【００４５】
送信頻度管理部４５ｃは、情報仲介機器１２から情報管理装置１３へデータを送信する頻度を管理する機能部である。本実施形態の情報仲介機器１２は、通常運転を行う場合と、試験運転を行う場合とで、情報仲介機器１２から情報管理装置１３へ第１の情報を送信する頻度を異ならせている。送信頻度管理部４５ｃは、通常運転と試験運転とのそれぞれについて、記憶部４６に記憶された第１の情報を所定の送信頻度で情報管理装置１３へ送信する。
【００４６】
本実施形態の送信頻度管理部４５ｃは、通常運転の際に、データ編集部４５ｂにより作成された時間当たり報告データの１日分をまとめて送信する。つまり、１日に１回、２４個の時間当たり報告データをまとめて送信する。このように、１日分の時間当たり報告データを１回にまとめて送信することで、通信の度に発生する付随的な通信データ（ヘッダ情報等）を少なくし、通信量の削減を図ることができる。また、通信のトラフィックの少ない時間帯を選択して送信することで、送信ミス等を減らし送信時間を短縮することができる。
【００４７】
一方、試験運転を行う場合、送信頻度管理部４５ｃは、空気調和機１１から第１の情報を受信したタイミングで送信する。例えば、情報仲介機器１２が空気調和機１１から１分毎に第１の情報を受信する場合、送信頻度管理部４５ｃは、同じ頻度である１分毎に情報管理装置１３へ第１の情報を送信する。つまり、送信頻度管理部４５ｃは、試験運転の際に、通常運転の際よりも高頻度で第１の情報を送信する。
【００４８】
送信頻度管理部４５ｃは、通常運転の際に、第２の情報に含まれる蒸発温度・凝縮温度目標値及び運転モード（低騒音モード、電力抑制モード等）等の設定データを、空気調和機１１から受信した後に上述の時間当たり報告データと併せて送信する。また、送信頻度管理部４５ｃは、試験運転の際に、第２の情報を最初の通信時に１度だけ情報管理装置１３へ送信する。
【００４９】
送信頻度管理部４５ｃは、後述する情報管理装置１３の送信頻度情報送信部５４ｄから送信された送信頻度情報に基づいて、所定の送信頻度で情報を送信するように構成されている。
【００５０】
コントローラ４１の入力部４７は、上述の第３の情報の入力を受け付ける。入力部４７は、キーボードやタッチパネル等の入力機器を有線又は無線により接続させるインターフェースにより構成することができる。あるいは、入力部４７は、パソコンやスマートフォン等の入力機能を有する電算機器を有線又は無線により接続させるインターフェースであってもよい。また、入力部４７は、ルータ４２を介したデータの受信によって入力を受け付けるものであってもよい。
【００５１】
入力部４７によって入力された第３の情報は記憶部４６に記憶される。また、記憶部４６に記憶された第３の情報は、試験運転の際に、上述の送信頻度管理部４５ｃによって情報仲介機器１２と情報管理装置１３との最初の通信時に１度だけ送信される。
【００５２】
ルータ４２は、情報管理装置１３側（ＷＡＮ側）のインターフェースと、コントローラ４１側（ＬＡＮ側）のインターフェースとを有し、これらを相互に接続させる通信機器である。ルータ４２は、例えばＳＩＭカード（Ｓｕｂｓｃｒｉｂｅｒ  Ｉｄｅｎｔｉｔｙ  Ｍｏｄｕｌｅ）を内蔵し、携帯電話回線を介してネットワーク５０（図１参照）としてのインターネットに接続するモバイルルータが用いられる。携帯電話回線としては、例えば、ＭＶＮＯ（仮想移動体通信事業者）が提供する定量定額制（一定金額で一定の上限量までの通信が可能な契約形態）のものを用いることができる。
【００５３】
［情報管理装置］
図１に示すように、情報管理装置１３は、情報仲介機器１２から送信された情報を蓄積し、管理することができる。また、情報管理装置１３は、蓄積した情報を、空気調和機１１の管理者、使用者、保守作業者、製造者等の関与者が使用する端末５１に提供することができる。この端末５１としては、ネットワーク５０を介して情報管理装置１３に接続することができるパーソナルコンピュータ、タブレットＰＣ、スマートフォン等を挙げることができる。
【００５４】
図５は、情報管理装置の概略的な構成図である。
情報管理装置１３は、例えば、空気調和機１１のメーカーや保守点検等を請け負う管理会社等に設置される。情報管理装置１３は、通信部５３と、制御部５４と、記憶部５５と、入力部５６と、出力部５７とを有する。
【００５５】
通信部５３は、通信インターフェースからなり、インターネット５０を介して情報仲介機器１２及び関与者の端末５１（図１参照）と通信する機能を有する。
制御部５４は、記憶部５５に記憶されたプログラムを実行することによって所定の機能を発揮する。具体的に、制御部５４は、データ受信部５４ａ、データチェック部５４ｂ、点検表作成部５４ｃ、送信頻度情報送信部５４ｄとしての機能を有している。
【００５６】
データ受信部５４ａは、情報仲介機器１２から送信された情報を受信し、記憶部５５に記憶させる機能を有する。
データチェック部５４ｂは、上述の試験運転の際に情報仲介機器１２から送信された情報から空気調和機１１が正常に動作しているかを判定する機能を有する。例えば、データチェック部５４ｂは、情報仲介機器１２から送信されたセンサ２７，３５ａ，３５ｂ，３６ａ，３６ｂの検出値を所定の閾値（判定基準値）と比較し、異常の有無を判定する。
【００５７】
点検表作成部５４ｃは、試験運転を行った後、空気調和機１１の据付状況についての結果報告や保守点検の結果報告としてユーザーに提供するための点検表を作成する機能を有する。
図６は点検表の一例を示す図である。この点検表５２では、「点検項目」として、「絶縁測定」、「電源電圧」、「異音・振動」等の複数の項目が挙げられている。これらの項目は、情報仲介機器１２から送信された第１〜第３の情報に含まれる項目である。そして、点検表５２には、各項目について、「判定内容」、「実測値」、「判定」が記載される。
【００５８】
「判定内容」の欄には、情報管理装置１３の制御部５４におけるデータチェック部５４ｂで判定される内容が記載されている。「実測値」の欄には、第１〜第３の情報に含まれるデータそのものの値が記載されている。「判定」の欄には、データチェック部５４ｂによる判定結果、図示例では「ＯＫ」と記載されている。したがって、この点検表５２によって空気調和機１１が正常に運転できているか否かを確認することができる。
【００５９】
以上のような点検表５２の作成は、例えば、情報管理装置１３側から情報仲介機器１２へ作成開始の指示を行い、この指示に従って空気調和機１１を自動的に運転させ、運転中の各種データを情報仲介機器１２から情報管理装置１３へ送信することによって行うことができる。
【００６０】
図５に示すように、送信頻度情報送信部５４ｄは、通常運転及び試験運転の際の第１の情報の送信頻度についての情報を情報仲介機器１２に送信する機能を有する。
記憶部５５には、情報仲介機器１２から送信された各種情報が記憶されている。具体的に、記憶部５５には、情報仲介機器１２から送信された第１〜第３の情報のほか、情報仲介機器１２のデータ編集部４５ｂで作成された時間当たり報告データ等が記憶されている。
【００６１】
入力部５６は、キーボードやタッチパネル等の情報の入力が可能な機器を有線又は無線により接続させるインターフェースにより構成される。
出力部５７は、液晶パネル等の表示機器や、プリンタ等の出力機器を接続させるインターフェースにより構成される。また、出力部５７は、点検表作成部５４ｃにより作成された点検表５２のデータを通信部５３を介して関与者の端末５１（図１参照）に出力することができる。関与者は、端末５１により点検表５２を受信し、この点検表５２を用いて試験運転の結果をユーザー等に報告することができる。
【００６２】
［実施形態の作用効果］
本実施形態の空調管理システム１０は、空気調和機１１と、空気調和機１１と通信可能に接続され、かつ、空気調和機１１についての情報であって当該空気調和機１１の運転に伴って変動しうる第１の情報を前記空気調和機１１から取得して送信する情報仲介機器１２と、情報仲介機器１２から送信された第１の情報をネットワーク５０を介して受信する情報管理装置１３とを備え、情報仲介機器１２は、空気調和機１１の試験運転の際に、当該空気調和機１１の通常運転の際よりも高頻度で第１の情報を送信する。そのため、試験運転の際に異常が発生した場合、その異常に関わる第１の情報を情報管理装置１３が取得する可能性を高めることができる。したがって、情報管理装置１３は取得した第１の情報に基づいて異常の発生を検出することができる。
【００６３】
また、通常運転の際には、正常に運転が行われている限り情報管理装置１３側で運転状態や制御状態を常に把握しておく必要がないので、情報仲介機器１２は試験運転のときよりも低頻度で第１の情報を送信し、情報仲介機器１２から情報管理装置１３へのデータ送信量を少なくし、通信コストを低減することができる。特に、本実施形態では、情報仲介機器１２と情報管理装置１３との間の通信が、定量定額制の携帯電話回線を用いて行われているので、通常運転の際の送信頻度を低くすることがより有効である。
【００６４】
本実施形態の空調管理システム１０は、情報仲介機器１２が、試験運転の際に、空気調和機１１から第１の情報を取得する頻度で当該第１の情報を情報管理装置１３に送信している。つまり、情報仲介機器１２は、空気調和機１１から１分毎に第１の情報を取得し、それと同一の頻度で情報管理装置１３に第１の情報を送信している。そのため、試験運転で発生した異常に関わる第１の情報を取得する可能性をより高めることができる。
【００６５】
なお、情報仲介機器１２は、試験運転の際に、空気調和機１１から常時第１の情報を取得してもよい。この場合、情報仲介機器１２から情報管理装置１３へ常時第１の情報を送信するようにすれば、試験運転で発生した異常に関わる第１の情報を取得する可能性をさらに高めることができる。
【００６６】
情報仲介機器１２は、試験運転の際に、空気調和機１１についての情報であって当該空気調和機１１の運転に伴って変動しない第２の情報を、空気調和機１１から取得して情報管理装置１３へ１度だけ送信している。このように、試験運転中に変動しない第２の情報を１度だけ情報管理装置１３に送信することによって、情報仲介機器１２から情報管理装置１３への通信量を削減することができる。そのため、本実施形態のように、情報仲介機器１２と情報管理装置１３との間の通信に定量定額制の携帯電話回線を用いている場合に特に有効である。
【００６７】
また、情報仲介機器１２は、試験運転の際に、情報仲介機器１２と情報管理装置１３との最初の通信時に第２の情報を送信する。第２の情報である蒸発温度・凝縮温度目標値等のデータは、第１の情報を用いた異常の検出に必要となるデータである。そのため、情報仲介機器１２と情報管理装置１３との最初の通信の際に第２の情報を情報管理装置１３に送信することで、その第２の情報と、その後も継続して送信される第１の情報とを用いて異常を検出することができる。
【００６８】
同様に、情報仲介機器１２は、試験運転の際に、情報仲介機器１２と情報管理装置１３との最初の通信時に１度だけ第３の情報を送信する。そのため、情報仲介機器１２から情報管理装置１３への通信量を削減することができる。さらに、第３の情報である冷媒配管長や室内機２１と室外機２２との高低差等のデータは、第１の情報を用いた異常の検出に必要となるデータである。そのため、情報仲介機器１２と情報管理装置１３との最初の通信の際に第３の情報を情報管理装置１３に送信することで、その第３の情報と、その後も継続して送信される第１の情報とを用いて異常を検出することができる。
【００６９】
情報管理装置１３は、情報仲介機器１２から送信された情報と、当該情報についての異常の有無の判定情報とを含む点検表５２を作成する制御部５４を有している。そのため、試験運転後のユーザーへの報告に用いられる点検表５２を容易に作成することができ、点検表５２の作成に伴う作業者の負担を軽減することができる。
【００７０】
情報仲介機器１２は、携帯電話回線により無線通信を行うルータ４２を有している。そのため、建物に敷設された固定電話回線を用いることなく、ルータ４２により携帯電話回線及びネットワーク５０を介して情報管理装置１３と通信することができる。情報仲介機器１２は、携帯電話回線により無線通信を行うルータ４２を用いることによって、電波が届く範囲内で自由に情報仲介機器１２を設置することができる。また、ＭＶＮＯ（仮想移動体通信事業者）による携帯電話回線を用いることによって、安価に情報管理装置１３と通信することができる。
【００７１】
試験運転中、空気調和機１１のセンサ等によって取得される第１の情報は、情報仲介機器１２を介して情報管理装置１３に送信されるので、作業者は空気調和機１１を常時監視していなくてもよく、他の作業を並行して行うことが可能となる。
【００７２】
また、情報管理装置１３へ送信された情報は、異常の検出のためだけでなく、運用開始後に部品の劣化等を判断するための基礎データとして用いることができる。
【００７３】
なお、本開示は、以上の例示に限定されるものではなく、特許請求の範囲によって示され、特許請求の範囲と均等の意味及び範囲内でのすべての変更が含まれることが意図される。
例えば、試験運転及び通常運転の際に、情報仲介機器１２から情報管理装置１３へ送信される第１〜第３の情報は、以上に例示したものに限定されない。
試験運転には、例えば、室内機２１と室外機２２との間の冷媒配管に設けられた閉鎖弁の開け忘れ、冷媒配管の誤接続、冷媒の過充填等のチェックを行うための据付チェック運転を含むことができる。この場合、据付チェック運転中に取得されたデータは情報仲介機器１２から情報管理装置１３へ送信され、情報管理装置１３の記憶部５５に記憶される。したがって、記憶部５５に記憶されたデータを作業者の端末５１で受信して確認することによって、据付チェック運転の進捗状況やチェック運転の結果等を容易に確認することが可能となる。
【符号の説明】
【００７４】
１０    ：空調管理システム
１１    ：空気調和機
１２    ：情報仲介機器
１３    ：情報管理装置
４２    ：ルータ（通信装置）
４７    ：入力部
５０    ：ネットワーク
５２    ：点検表
５４    ：制御部
５４ｃ  ：点検表作成部
【図１】
2019120422.tif 000003
【図２】
2019120422.tif 000004
【図３】
2019120422.tif 000005
【図４】
2019120422.tif 000006
【図５】
2019120422.tif 000007
【図６】
2019120422.tif 000008